(57)【要約】【課題】  特に、病的障害等はないがＯ脚等の症状を持つ健常者が着用してＯ脚等の脚線を矯正できると共に、着用中に有事が発生した場合には速やかに行動を起すことが可能な下肢拘束衣服を提供する。【解決手段】  本下肢拘束衣服１は、各脚部３、３の隣接する部位９が拡開不能に繋ぎ合わされると共に、各脚部３、３の下端に、膝付近を締め付けるようにゴム帯６が巻回される構成であるので、本下肢拘束衣服１を睡眠時等に着用すればＯ脚等の脚線が矯正される。有事の際には、手で各切り込み４、４を各面ファスナー５、５を外すことにより開けば、思い通りの行動を起こすことができる。【選択図】        図１
0003113405.tif 000002
【実用新案登録請求の範囲】
【請求項１】
胴部を覆うウエスト部と、該ウエスト部から二股に分かれ、両脚が挿入される筒状の各脚部とを備え、各脚部の隣接する部位を拡開不能に繋ぎ合せると共に、該繋ぎ合わされた部位の反対側の部位には、開閉自在となる切り込みを縦に前記各脚部の下端までそれぞれ設け、さらに、前記各脚部の下端には、両脚の所定部位を締め付けるためのゴムがそれぞれ巻回されていることを特徴とする下肢拘束衣服。
【請求項２】
胴部を覆うウエスト部と、該ウエスト部から二股に分かれ、両脚が挿入される筒状の各脚部とを備え、各脚部の隣接する部位を拡開不能に繋ぎ合せると共に、該繋ぎ合わされた部位の反対側の部位には、開閉自在となる切り込みを前記ウエスト部の上端から縦に前記各脚部の下端までそれぞれ設け、さらに、前記各脚部の下端には、両脚の所定部位を締め付けるためのゴムがそれぞれ巻回されていることを特徴とする下肢拘束衣服。
【請求項３】
前記各脚部は、膝付近まで延びていることを特徴とする請求項１または２に記載の下肢拘束衣服。
【考案の詳細な説明】
【技術分野】
【０００１】
本考案は、病的障害等のない健常者が着用してＯ脚の内股が開いた脚線を矯正すると共に腰痛の予防や冷え防止を可能とし、且つ、介護を必要とする老人や下肢の不自由な被介護人が着用して腰痛の予防や冷え防止を可能にすると共に、介護人による被介護人への着衣及び脱衣作業を軽減する下肢拘束衣服に関するものである。
【背景技術】
【０００２】
従来から、日常の生活習慣によって引き起こされ、骨盤や関節の歪みにより体全体のバランスが崩れて、いわゆる、Ｏ脚と言われる内股が開いた状態の人が多く見受けられる。しかしながら、この状態を放置していると、腰痛等のさらに他の病気を発症する虞があり、健康上において好ましくない。しかも、このような内股が開いた状態で歩行する姿は、美容的観点からも良いものではない。
そこで、上述したＯ脚等の脚線を矯正する従来技術として、特許文献１には、筒状のサポータを２個並べた状態で、接触した部位を接合して一体とした２筒サポーター形脚線矯正具が開示されている。
【０００３】
さらに、従来から、介護を必要とする老人や下肢の不自由な被介護人にとって、腰痛の予防や冷え防止を目的とした衣服は今までに存在しなかった。
【特許文献１】実開平３−９６８１２号公報
【考案の開示】
【考案が解決しようとする課題】
【０００４】
しかしながら、特許文献１の脚線矯正具の考案では、脚線の矯正は可能だと思われるが、着用している間、特に睡眠中に着用している間に有事が発生した際、速やかに行動を起こすことができず、不都合が生じる虞があり、まだ改善する余地がある。
【０００５】
また、上述したように、介護を必要とする老人や下肢の不自由な被介護人にとって、腰痛の予防や冷え防止を目的とした衣服が今まで存在しなかった。
【０００６】
本考案は、かかる点に鑑みてなされたものであり、病的障害等はないがＯ脚等の症状を持つ健常者が着用してＯ脚等の脚線を矯正することができると共に腰痛の予防や冷え防止を可能とし、着用中に有事が発生した場合には速やかに行動を起すことが可能で、且つ、介護を必要とする被介護人が着用することで、腰痛の予防や冷え防止を可能とし、しかも、介護人による被介護人への着衣及び脱衣作業を軽減させる下肢拘束衣服を提供することを目的とする。
【課題を解決するための手段】
【０００７】
本考案は、上記課題を解決するための手段として、請求項１に記載した考案は、胴部を覆うウエスト部と、該ウエスト部から二股に分かれ、両脚が挿入される筒状の各脚部とを備え、各脚部の隣接する部位を拡開不能に繋ぎ合せると共に、該繋ぎ合わされた部位の反対側の部位には、開閉自在となる切り込みを縦に前記各脚部の下端までそれぞれ設け、さらに、前記各脚部の下端には、両脚の所定部位を締め付けるためのゴムがそれぞれ巻回されていることを特徴とするものである。
したがって、請求項１の考案における下肢拘束衣服は、特に病的障害等はないがＯ脚等の症状を持つ健常者に着用されるものであり、この下肢拘束衣服を、各脚部の外側にそれぞれ設けた切り込みを閉じた状態として着用すれば、内股が強制的に閉じられた状態でその動きが規制されるので、Ｏ脚等の脚線が矯正される。さらに、着用中に有事が発生した際には、手で各脚部に設けた各切り込みを開くと、両脚の拘束が解除され、速やかに行動を起こすことが可能となる。
【０００８】
請求項２に記載した考案は、胴部を覆うウエスト部と、該ウエスト部から二股に分かれ、両脚が挿入される筒状の各脚部とを備え、各脚部の隣接する部位を拡開不能に繋ぎ合せると共に、該繋ぎ合わされた部位の反対側の部位には、開閉自在となる切り込みを前記ウエスト部の上端から縦に前記各脚部の下端までそれぞれ設け、さらに、前記各脚部の下端には、両脚の所定部位を締め付けるためのゴムがそれぞれ巻回されていることを特徴とするものである。
したがって、請求項２の考案における下肢拘束衣服は、特に介護人を必要とされる被介護人に着用されるものであり、この下肢拘束衣服を、各脚部の外側にそれぞれ設けた切り込みを閉じた状態として着用すれば、内股が強制的に閉じられた状態で維持されるため、腰痛の予防や冷え防止を可能とする。しかも、この下肢拘束衣服を、介護人が被介護人に着衣及び脱衣させる際には、各脚部の外側で、ウエスト部の上端から各脚部の下端まで設けた各切り込みを開けば、ウエスト部は前側と後側とに分割されるため、介護人による被介護人への着衣及び脱衣作業が容易となる。
【０００９】
請求項３に記載した考案は、請求項１または２に記載した考案において、前記各脚部は、膝付近まで延びていることを特徴とするものである。
したがって、請求項３の考案における下肢拘束衣服は、両脚の膝付近がゴムによって締め付けられるために、脚線の矯正、冷え防止及び腰痛の予防が確実となる。
【考案の効果】
【００１０】
本考案の請求項１に記載した考案によれば、この下肢拘束衣服は、特に病的障害等はないがＯ脚等の症状を持つ健常者に着用されるもので、各脚部の隣接する部位が拡開不能に繋ぎ合わされると共に、各脚部の下端に巻回されたゴムによって膝付近を締め付ける構成であるので、この下肢拘束衣服を睡眠する際などに着用すれば、寝ている間に自然にＯ脚等の脚線を矯正することができる。また、睡眠中、体の動きが規制されるので腰痛を予防できると共に寝相も良くなり、さらには、寝間着または下着の上に重ねて着用すれば冷え防止にもなる。しかも、着用中に有事が発生した際には、各脚部の外側に設けた各切り込みを開けば、両脚の拘束が解除されて容易に行動を起こすことが可能となる。
【００１１】
請求項２に記載した考案によれば、この下肢拘束衣服は、特に介護を必要とする老人や下肢の不自由な被介護人に着用されるもので、各脚部の隣接する部位が拡開不能に繋ぎ合わされると共に、各脚部の下端に巻回されたゴムによって膝付近を締め付け、さらに、各脚部の外側に設けた開閉自在となる各切り込みをウエスト部の上端から各脚部の下端まで形成した構成であるので、被介護人がこの下肢拘束衣服を着用すれば、腰痛の予防や冷え防止になる。しかも、各切り込みを開けば、ウエスト部が前側と後側に分割されるために、介護人による被介護人への着衣及び脱衣作業を軽減させることが可能となる。
【００１２】
請求項３に記載した考案によれば、Ｏ脚等の脚線の矯正、腰痛の予防及び冷え防止が確実となる。
【考案を実施するための最良の形態】
【００１３】
以下、本考案を実施するための最良の形態を図１及び図２に基いて詳細に説明する。
本考案の実施の形態に係る下肢拘束衣服１は、図１に示すように、裾部分がほぼ膝付近となるズボンタイプで、病的障害等のない健常者がＯ脚の矯正等のために着用するもので、胴部を覆うウエスト部２と、ウエスト部２から二股に分かれた各脚部３、３とを有している。各脚部３、３の隣接する部位９は拡開不能に繋ぎ合わされ、繋ぎ合わされた部位９の反対側部位には、開閉自在となる所定長の切り込み４、４が縦に各脚部３、３の下端までそれぞれ設けられている。
【００１４】
また、図１に示すように、各切り込み４、４の下端には、各切り込み４、４の両側に位置する部位を重ね合わせて接合させるために、それぞれの部位に面ファスナー５、５が取り付けられている。この面ファスナー５、５を手で脱着すれば、各切り込み４、４を容易に開閉することができる。本実施の形態では、面ファスナー５、５は、各切り込み４、４の下端に１箇所に設けられているが、各切り込み４、４に沿って複数設けてもよい。
さらに、各脚部３、３の下端には、両脚が挿入された際、各膝付近が締め付けられるようにゴム帯６、６が巻回されており、同様に、ウエスト部２の上端にも、ゴム帯７が巻回されている。また、各脚部３、３の生地については特に限定しないが、各大腿部の表面にフィットし、各大腿部の動きを規制するような生地が好ましい。
【００１５】
以上説明した本考案の実施の形態に係る下肢拘束衣服１は、各脚部３、３の隣接する部位９が繋ぎ合わされ、さらに、各脚部３、３の下端に設けた各ゴム帯６、６により膝付近が締め付けられる構成であるので、睡眠する際などに、この下肢拘束衣服１を着用すれば、内股が強制的に閉じられた状態でその動きが規制され、自然にＯ脚等の脚線が矯正される。さらに、着用している間に有事が発生した際には、手で各切り込み４、４を、各面ファスナー５、５を外すことにより開いて、両脚の拘束を解除すれば、速やかに行動を起こすことがきる。
しかも、本考案の実施の形態に係る下肢拘束衣服１を睡眠中に着用すれば、体の動きが規制されるために、腰痛を予防することができると共に寝相を良くすることができ、特に、夏場等においては、両脚により掛け布団等を蹴飛ばすことを抑制することができる。この下肢拘束衣服１を下着または寝間着の上から重ね着すれば、冷え防止にもなる。
【００１６】
次に、本考案の他の実施の形態に係る下肢拘束衣服１ａを図２に基いて説明する。
本考案の他の実施の形態に係る下肢拘束衣服１ａは、介護を必要とする老人や下肢の不自由な人等の被介護人が、腰痛の予防や冷え防止のために着用し、さらに、着衣及び脱衣が容易にできるように構成されたものであり、胴部を覆うウエスト部２と、ウエスト部２から二股に分かれた各脚部３、３とを有している。この各脚部３、３の隣接する部位９は拡開不能に繋ぎ合わされ、繋ぎ合わされた部位９の反対側部位には、開閉自在となる切り込み４、４がウエスト部２の上端から各脚部３、３の下端まで連続して形成されている。
【００１７】
また、この各切り込み４、４の下端で、各切り込み４、４の両側に位置する部位には、脱着自在の面ファスナ５、５がそれぞれ取り付けられている。さらに、ウエスト部２は、各切り込み４、４の形成により、前側ウエスト部２ａと後側ウエスト部２ｂとに分割可能となり、前側ウエスト部２ａの上端で、その前面両端には面ファスナー５’、５’がそれぞれ取り付けられている。さらに、後側ウエスト部２ｂの上端で、その両端には、固定片８、８がそれそれ延設されており、これらの固定片８、８に、前側ウエスト部２ａの前面に取り付けた各面ファスナ５’、５’に脱着自在となる面ファスナ５’、５’がそれぞれ取り付けられている。
さらに、前側ウエスト部２ａ及び後側ウエスト部２ｂの上端にはゴム帯７、７が巻回されており、同様に、各脚部３、３の下端にもゴム帯６、６が巻回されている
【００１８】
そこで、被介護人が下肢拘束衣服１ａを着衣する際には、例えば、介護人が、図２に示すように、上下の面ファスナー５’、５を外すと共に各切り込み４、４を開き、ウエスト部２を前側ウエスト部２ａと後側ウエスト部２ｂに分割させると共に、前側ウエスト部２ａを前方に折り曲げるようにしてウエスト部２の開口を大きくし、被介護人の両脚を挿入する。その後、上下の面ファスナー５’、５を固着して各切り込み４、４を閉じた状態とする。
一方、脱衣させる場合も、同様に、介護人が上下の面ファスナー５’、５を外して、各切り込み４、４を開き、ウエスト部２を前側ウエスト部２ａと後側ウエスト部２ｂに分割させると共に、前側ウエスト部２ａを前方に折り曲げるようにしてウエスト部２の開口を大きくし、被介護人の両脚を各脚部３、３から抜脱させて脱衣させる。
【００１９】
以上説明した本考案の他の実施の形態に係る下肢拘束衣服１ａによれば、各脚部３、３の隣接する部位９が繋ぎ合わされると共に、各脚部３、３の下端に設けた各ゴム帯６、６により膝付近が締め付けられるので、介護を必要とする老人や下肢の不自由な人等の被介護人が着用することによって腰痛の予防や冷え防止になる。さらに、本下肢拘束衣服１ａによれば、各脚部３、３の外側で、開閉自在となる各切り込み４、４をウエスト部２の上端から各脚部３、３の下端まで形成しているので、介護人による被介護人への着衣及び脱衣作業が容易となる。すなわち、介護人が各切り込み４、４を開けば、ウエスト部２が前側フランジ部２ａと後側フランジ部２ｂとに分割されて、ウエスト部２の開口がより大きくなるので、被介護人の両脚をそのウエスト部２の開口から各脚部３、３に容易に挿脱させることが可能となる。
【００２０】
なお、図１及び図２に示す下肢拘束衣服１、１ａは、その脚部３、３の下端が膝付近になるように形成されているが、その長さは限定されることなく、脚部３、３の下端が足首付近となる長さに形成してもよい。
【図面の簡単な説明】
【００２１】
【図１】図１は、本考案の実施の形態に係る下肢拘束衣服を示す図である。
【図２】図２は、本考案の他の実施の形態に係る下肢拘束衣服を示す図である。
【符号の説明】
【００２２】
１、１ａ          下肢拘束衣服
２                ウエスト部
３                脚部
４                切り込み
５、５’          面ファスナー
６                ゴム帯
９                繋ぎ合わされた部位
【図１】
0003113405.tif 000003
【図２】
0003113405.tif 000004